(57)【要約】【課題】コンパクトに折り畳むことができ、店頭で簡単に組み立てて、柔らかいイメージの陳列ができる商品陳列具を提供する。【解決手段】基板１の前面に複数段の棚枠２を設けた商品陳列具において、各棚枠２は、外面板３，４、背面板５，６及び中間板７を連設すると共に、外面板４の側縁に弧状罫線を介して側面板８を連設し、外面板３及び中間板７に商品挿入口１０，１１を設け、外面板３，４と背面板５，６とを筒状に曲げて中間板７を巻き込み、外面板３，４を湾曲させつつ、側面板８を押し込むように閉じて保形し、背面板５を基板１に貼り付ける構成とし、側面板８を開いた状態では、棚枠２を上方へ倒して扁平に変形できるようにする。【選択図】図１
2007282708.tif 000002
【特許請求の範囲】
【請求項１】
基板の前面に複数段の棚枠を設けた商品陳列具において、各棚枠は、外面板、背面板及び中間板を連設すると共に、外面板の側縁に弧状罫線を介して側面板を連設し、外面板及び中間板に商品挿入口を設け、外面板と背面板とを筒状に曲げて中間板を巻き込み、外面板を湾曲させつつ、側面板を押し込むように閉じて保形し、背面板を基板に貼り付ける構成とし、側面板を開いた状態では、棚枠を上方又は下方へ倒して扁平に変形できるようにしたことを特徴とする商品陳列具。
【発明の詳細な説明】
【技術分野】
【０００１】
この発明は、複数段の棚枠で商品を保持して陳列する陳列具に関するものである。
【背景技術】
【０００２】
例えば、薬局・薬店等において、化粧品等のチューブ入り商品の陳列に使用する陳列具として、下記特許文献１には、基板の前面に複数段の棚枠を設け、各棚枠は、三角筒状とし、その上面及び前部斜面に商品挿入口を設けたものが記載されている。
【０００３】
【特許文献１】特許第３００２４０１号公報
【発明の開示】
【発明が解決しようとする課題】
【０００４】
しかしながら、上記のような陳列具では、小売店への配送時に、棚枠を折り畳んでおくことができないため、嵩張って取り扱いにくく、また、店頭での陳列状態において、棚枠が角張っているため、武骨な印象を与えるという問題がある。
【０００５】
そこで、この発明は、コンパクトに折り畳むことができ、店頭で簡単に組み立てて、
柔らかいイメージの陳列ができる商品陳列具を提供することを課題とする。
【課題を解決するための手段】
【０００６】
上記課題を解決するため、この発明は、基板の前面に複数段の棚枠を設けた商品陳列具において、各棚枠は、外面板、背面板及び中間板を連設すると共に、外面板の側縁に弧状罫線を介して側面板を連設し、外面板及び中間板に商品挿入口を設け、外面板と背面板とを筒状に曲げて中間板を巻き込み、外面板を湾曲させつつ、側面板を押し込むように閉じて保形し、背面板を基板に貼り付ける構成とし、側面板を開いた状態では、棚枠を上方又は下方へ倒して扁平に変形できるようにしたのである。
【発明の効果】
【０００７】
この商品陳列具では、側面板を開いて、棚枠を扁平に変形させ、コンパクトに折り畳んだ状態で小売店に配送することができ、その状態から側面板を押し込むだけで、店頭で迅速に組み立てて商品を陳列することができる。
【０００８】
また、陳列状態では、外面板が湾曲しているので、商品に応じた柔らかいイメージを与えることができ、外面板に折畳時の折目が入ることもないので、美観に優れた陳列とすることができる。
【発明を実施するための最良の形態】
【０００９】
まず、この発明の第１実施形態を図１乃至図４に基づいて説明する。
【００１０】
図１に示すように、この陳列具は、化粧品等のチューブ入り商品の陳列に使用するものであり、基板１に上下二段の棚枠２を設けた構成とされている。基板１は、板紙を貼り合わせた合紙から成り、棚枠２は、板紙のブランクを折り曲げて組み立てられる。
【００１１】
図２に示す棚枠２のブランクでは、外面板３の前端に外面板４及び背面板５が順次連設され、外面板３の後端に背面板６及び中間板７が順次連設されている。外面板４及び中間板７の両側には先端が弧状縁となった側面板８，９がそれぞれ連設され、側面板８の基端罫線は弧状とされている。側面板８の先端縁には、指掛用の切欠が設けられている。
【００１２】
外面板３及び中間板７には、それぞれ３個の商品挿入口１０，１１が設けられ、中間板７の商品挿入口１１の一端には、受止片１２が設けられている。
【００１３】
このブランクの組み立てに際しては、図３に示すように、外面板３，４と背面板５，６とを筒状に曲げて中間板７を巻き込み、背面板５，６を貼り合わせ、外面板３，４を湾曲させつつ、側面板８，９を押し込むように閉じて保形する。
【００１４】
このように組み立てた棚枠２は、図１に示すように、基板１の前面に背面板５を貼着して上下に２個配置する。このとき、基板１に貼着位置を予めマークしておくと、棚枠２を基板１の所定位置に容易に取り付けられる。
【００１５】
そして、この陳列具を店頭で使用する際には、基板１を、その上部に設けた紐穴１ａに紐Ｓを挿通して吊り下げ、チューブ入り商品Ｃを商品挿入口１０，１１に挿入する。
【００１６】
このとき、図１及び図３に示すように、受止片１２が商品Ｃのキャップの下端により押し下げられ、受止片１２の先端が外面板４に、中間板７の先端が外面板３，４の稜部にそれぞれ当接し、棚枠２の形状は堅固に維持される。
【００１７】
上記のような陳列状態では、外面板３，４が湾曲しているので、商品Ｃに応じた柔らかいイメージを消費者に与えることができる。
【００１８】
また、この陳列具は、小売店に配送する際、図４に示すように、側面板８，９を外側へ開くと、棚枠２を上方へ倒して扁平に変形することにより、コンパクトに折り畳むことができるので、効率よく配送することができる。
【００１９】
また、このように折り畳んでも、外面板３，４に稜線以外の折目が入らないので、陳列状態での美観が低下することがない。
【００２０】
次に、この発明の第２実施形態を図５乃至図８に基づいて説明する。
【００２１】
図５に示すように、この陳列具もまた、化粧品等のチューブ入り商品の陳列に使用するものであり、基板１に上下二段の棚枠２を設けた構成とされている。基板１は、板紙を貼り合わせた合紙から成り、棚枠２は、板紙のブランクを折り曲げて組み立てられる。
【００２２】
図６に示す棚枠２のブランクでは、外面板３の前端に外面板４及び背面板５が順次連設され、外面板３の後端に背面板６が、背面板５の先端に中間板７がそれぞれ連設されている。外面板３の両側には先端が弧状縁となった側面板８が連設され、中間板７の両側には三角状の側面板９が連設されている。側面板８の基端罫線は弧状とされ、側面板８の先端縁には、指掛用の切欠が設けられている。
【００２３】
外面板３及び中間板７には、それぞれ３個の商品挿入口１０，１１が設けられ、中間板７の商品挿入口１１の一端には、受止片１２が設けられている。
【００２４】
このブランクの組み立てに際しては、図７に示すように、外面板３，４と背面板５，６とを筒状に曲げて中間板７を巻き込み、背面板５，６を貼り合わせ、外面板３，４を湾曲させつつ、側面板８，９を押し込むように閉じて保形する。
【００２５】
このように組み立てた棚枠２は、図５に示すように、基板１の前面に背面板５，６を貼着して上下に２個配置する。このとき、基板１に貼着位置を予めマークしておくと、棚枠２を基板１の所定位置に容易に取り付けられる。
【００２６】
そして、この陳列具を店頭で使用する際には、基板１を、その上部に設けた紐穴１ａに紐Ｓを挿通して吊り下げ、チューブ入り商品Ｃを商品挿入口１０，１１に挿入する。
【００２７】
このとき、図５及び図７に示すように、受止片１２が商品Ｃのキャップの下端により押し下げられ、受止片１２の先端が背面板５に当接し、棚枠２の形状は堅固に維持される。
【００２８】
上記のような陳列状態では、外面板３，４が湾曲しているので、商品Ｃに応じた柔らかいイメージを消費者に与えることができる。
【００２９】
また、この陳列具は、小売店に配送する際、図８に示すように、側面板８，９を外側へ開くと、棚枠２を下方へ倒して扁平に変形することにより、コンパクトに折り畳むことができるので、効率よく配送することができる。
【００３０】
また、このように折り畳んでも、外面板３，４に稜線以外の折目が入らないので、陳列状態での美観が低下することがない。
【００３１】
なお、上記各実施形態では、各棚枠２において、中間板７がブランクの端部に位置する構成としたが、中間板７を外面板３又は４と背面板５又は６との間に設けても、棚枠２を同様の形状に組み立てることができる。
【００３２】
また、各棚枠２に、中間板７を１枚のみ設けた構成としたが、商品Ｃの保持性を高めるため、中間板７を複数枚設け、棚枠２の内部で湾曲させるようにしても、棚枠２を扁平に変形させて折り畳むことができる。
【図面の簡単な説明】
【００３３】
【図１】この発明に係る陳列具の第１実施形態を示す斜視図
【図２】同上の棚枠のブランクを示す図
【図３】同上の棚枠の基板への取付状態を示す縦断側面図
【図４】同上の陳列具の折畳状態を示す斜視図
【図５】この発明に係る陳列具の第２実施形態を示す斜視図
【図６】同上の棚枠のブランクを示す図
【図７】同上の棚枠の基板への取付状態を示す縦断側面図
【図８】同上の陳列具の折畳状態を示す斜視図
【符号の説明】
【００３４】
１  基板
２  棚枠
３，４  外面板
５，６  背面板
７  中間板
８，９  側面板
１０，１１  商品挿入口
１２  受止片
【図１】
2007282708.tif 000003
【図２】
2007282708.tif 000004
【図３】
2007282708.tif 000005
【図４】
2007282708.tif 000006
【図５】
2007282708.tif 000007
【図６】
2007282708.tif 000008
【図７】
2007282708.tif 000009
【図８】
2007282708.tif 000010